(57)【要約】【課題】安価に製造することができ、迅速に衣類に装着できるハンガーを提供する。【解決手段】ハンガー１は、２本のアーム１１と、２本のアーム１１の間に配置され、上下方向の力を２本のアーム１１を開閉する方向の力に変換する支持部材１３Ｃと、を備える。また、ハンガー１は、下端に柄１４Ｂを有するフック１４と、柄の下端に互いに回動可能に連結する２本のアームと、アーム１１の付け根に設けられる開閉部材１３と、柄１４Ｂ及び開閉部材１３を挿通し、引き上げる力を開閉部材１３によってアーム１１が開く方向の力に変換する規制リング１７と、を備える。【選択図】図１
2019042439.tif 000002
【特許請求の範囲】
【請求項１】
２本のアームと、
２本の前記アームの間に配置され、上下方向の力を２本の前記アームを開閉する方向の力に変換する支持部材と、
を備えるハンガー。
【請求項２】
前記アームは、
付け根部分に設けられる結合ピン穴に挿通される結合ピンによって回動可能に係止され、開いた状態において下方に凸となる曲面部、前記結合ピンが挿通される前記結合ピン穴、及び前記結合ピン穴の下方に配置される係止凹部を付け根部分に備え、
前記支持部材は、
２本の前記アームの間に配置され、上下方向に変位可能な開閉部材の下方に配置される支持ピン穴に挿通される支持ピンである請求項１に記載のハンガー。
【請求項３】
前記支持部材は、
２本の前記アームの間に配置され、上下方向に変位可能な開閉部材の下方に配置されるピン形状の部材である請求項１に記載のハンガー。
【請求項４】
前記支持部材は、
２本の前記アームの間に配置され、上下方向に変位可能な開閉部材の上方に一端が係止され、他端が前記アームの長手方向の中間部分より前記アームの結合部分寄りの部位に取り付けられる請求項１に記載のハンガー。
【請求項５】
前記支持部材は、
一端において互いに回動可能に接続し、他端においてそれぞれ前記アームの内側に接続し、開く方向の動きを規制するストッパを一方に有する一対の部材である請求項１に記載のハンガー。
【請求項６】
前記支持部材は、
互いに外側に凸に湾曲し、一端において互いに接続し、他端において前記アームの根元付近に接続し、前記アームの内側に接触する２本の弾性部材である請求項１に記載のハンガー。
【請求項７】
前記アームは、
前記アームの付け根に前記アームに対して１８０°より小さい鈍角をなして設けられ、伸延方向と前記アーム同士を根元において回動可能に結合する結合ピンを中心として前記アームに対する屈曲方向逆側に延びる弧に沿って延びる切り欠きを有し、フックの付け根を挟んで配置される開閉部材を備え、
前記支持部材は、
前記フックの根元に固定され、一対の前記開閉部材の前記切り欠きに挿通される支持ピンである請求項１に記載のハンガー。
【請求項８】
前記アーム同士を根元において回動可能に結合する結合ピンをさらに備え、
前記アームは、
前記アームの付け根に前記アームに対して１８０°より小さい鈍角をなして設けられ、長辺が伸延方向に沿って延び、根元において前記アームに対する屈曲方向とは逆の方向に、前記結合ピンを中心として伸びる弧を底辺とし、前記底辺の前記長辺と接続する端部の逆側の端部と前記長辺の末端を結ぶ直線を斜辺とする略直角三角形の切り欠き穴を有し、フックの付け根を挟んで配置される開閉部材を備え、
前記支持部材は、
前記フックの根元に固定され、一対の前記開閉部材の前記切り欠きに挿通される支持ピンである請求項１に記載のハンガー。
【請求項９】
板状の部材によって形成され、上部において繋がる二つの窓部と、二つの前記窓部の間に設けられ、前記支持ピンを挿通する支持ピン挿通孔を有する突出部と、備える補助部材をさらに備える請求項８に記載のハンガー。
【請求項１０】
下端に柄を有するフックと、
前記柄の下端に互いに回動可能に連結する２本のアームと、
前記アームの付け根に設けられる開閉部材と、
前記柄及び前記開閉部材を挿通し、引き上げる力を前記開閉部材によって前記アームが開く方向の力に変換する規制リングと、
を備えるハンガー。
【発明の詳細な説明】
【技術分野】
【０００１】
本発明は、ハンガーに関する。
【背景技術】
【０００２】
衣料品を販売する店舗において、例えば丸首のＴシャツをハンガーにかけて展示する場合、従来のハンガーを使うとＴシャツの下部からハンガーを差し入れなければならず、工数と時間がかかっていた。
【０００３】
この点に関し、ハンガーの左右のアームを下方に折りたたみ、Ｔシャツの首の部分からハンガーのアームを差し入れ、その後にアームを開くタイプのハンガーが提案されている（例えば、特許文献１）。
【０００４】
しかし、従来のこのタイプのハンガーは、ヒンジ部分の機構が複雑であり、製造コストが高いものとなっていた。
【先行技術文献】
【特許文献】
【０００５】
【特許文献１】実用新案登録第３０８９５３４号公報
【発明の概要】
【発明が解決しようとする課題】
【０００６】
本発明が解決しようとする課題は、安価に製造することができ、迅速に衣類に装着できるハンガーを提供することである。
【課題を解決するための手段】
【０００７】
上記課題を解決するために、本発明は、付け根部分に設けられる結合ピン穴に挿通される結合ピンによって回動可能に係止される２本のアームと、上下方向に長く設けられる長孔に前記結合ピンが挿通され、２本の前記アームの間に配置される開閉部材と、前記開閉部材に設けられ、前記開閉部材が引き上げられる際に２本の前記アームを開く方向に２本の前記アームに力を加える支持部材と、前記開閉部材の上端に配置されるフックと、を備えるハンガーを提供する。
【発明の効果】
【０００８】
本発明によれば、安価に製造することができ、迅速に衣類に装着できるハンガーを提供することができる。
【図面の簡単な説明】
【０００９】
【図１】アームを開いた状態の第１の実施形態のハンガーを示す図。
【図２】アームを閉じた状態の第１の実施形態のハンガーを示す図。
【図３】第１の実施形態のハンガーの分解斜視図。
【図４】アームを開いた状態の第２の実施形態のハンガーを示す図。
【図５】アームを閉じた状態の第２の実施形態のハンガーを示す図。
【図６】アームを開いた状態の第３の実施形態のハンガーを示す図。
【図７】アームを閉じた状態の第３の実施形態のハンガーを示す図。
【図８】アームを開いた状態の第４の実施形態のハンガーを示す図。
【図９】アームを閉じた状態の第４の実施形態のハンガーを示す図。
【図１０】第４の実施形態のハンガーのアームの付け根付近の拡大図。
【図１１】アームを閉じた状態の第５の実施形態のハンガーを示す図。
【図１２】第５の実施形態のハンガーのアームを閉じるときのアームの付け根付近を示す図。
【図１３】第５の実施形態のハンガーのアームを開くときのアームの付け根付近を示す図。
【図１４】アームを開いた状態の第５の実施形態のハンガーを示す図。
【図１５】アームを閉じた状態の第６の実施形態のハンガーを示す図。
【図１６】第６の実施形態のハンガーのアームを開く過程を示す図。
【図１７】第６の実施形態のハンガーのアームを開いた状態を示す図。
【図１８】アームを閉じた状態の第７の実施形態のハンガーを示す図。
【図１９】第７の実施形態のハンガーのアームを開いた状態を示す図。
【図２０】補助部材の拡大図。
【図２１】補助部材を装着したハンガーを示す図。
【図２２】第８の実施形態のハンガーのアームを開いた状態を示す図。
【図２３】第８の実施形態のハンガーのアームを閉じた状態を示す図。
【発明を実施するための形態】
【００１０】
以下、本発明の一実施形態にかかるハンガー１を、図面を参照しながら説明する。
【００１１】
（第１の実施形態）
図１はアーム１１を開いた状態の第１の実施形態のハンガー１を示す図、図２はアーム１１を閉じた状態の第１の実施形態のハンガー１を示す図、図３は第１の実施形態のハンガー１の分解斜視図である。
【００１２】
図１から図３までに示すように、ハンガー１は、左右２本のアーム１１と、開閉部材１３と、フック１４と、を備える。
【００１３】
アーム１１は、衣類を吊り下げるのに適した長さと幅を有するように、長軸に形成される。アーム１１は、付け根部分に、開いた場合に下方に凸となる、なだらかな曲線を描く曲面部１１Ｃを有する。アーム１１はさらに、曲面部１１Ｃの縁に、アーム１１を開いた場合に上方に凹となる係止凹部１１Ａと、結合ピン１２を挿通する貫通孔である結合ピン穴１１Ｂと、を備える。２本のアーム１１は、互いに同一形状に形成される。
【００１４】
係止凹部１１Ａは、アーム１１を開いた場合に結合ピン穴１１Ｂの鉛直方向直下に位置するように設けられる。
【００１５】
開閉部材１３は、下方に長く伸びる長孔１３Ａと、長孔１３Ａの下方に配置され、支持ピン１５を挿通する貫通孔である支持ピン穴１３Ｂと、を備え、下方に長い薄い板状又はフィルム状に形成される。開閉部材１３は、例えば下方に長い長方形に形成される。
【００１６】
フック１４は、開閉部材１３の上端部に取り付けられる。
【００１７】
次に、ハンガー１の組み立て方法について説明する。開閉部材１３の支持ピン穴１３Ｂに支持ピン１５を挿通し、支持ピン１５の抜けを規制する支持ピン抜止１５Ａを取り付ける。支持ピン１５及び支持ピン抜止１５Ａは、円盤形状をなしていることが望ましい。
【００１８】
そして、２本のアーム１１の間に開閉部材１３を配置し、結合ピン１２を結合ピン穴１１Ｂ及び長孔１３Ａに挿通する。その後、結合ピン１２の先端部にピン抜止１２Ａを取り付ける。
【００１９】
結合ピン１２は、アーム１１が回動可能であり、かつ、開閉部材１３が上下変位可能に取り付けられる。
【００２０】
次に、ハンガー１の動作について説明する。
【００２１】
図２に示すアーム１１を閉じた状態において、２本のアーム１１をＴシャツなどの衣類の首穴に挿入する。
【００２２】
アーム１１を衣類の袖の部分に合わせ、開閉部材１３を引き上げる。ここで、アーム１１は曲面部１１Ｃを有するため、支持ピン１５は曲面部１１Ｃの縁に沿って移動する。
【００２３】
支持ピン１５が曲面部１１Ｃの縁に沿って移動すると、２本のアーム１１は支持ピン１５によって互いに開く方向に変位される。
【００２４】
アーム１１は開いた状態になると、支持ピン１５は係止凹部１１Ａに嵌まり込み、アーム１１が開いた状態が維持される。
【００２５】
アーム１１を閉じる場合には、支持ピン１５を係止凹部１１Ａから外す。そして、開閉部材１３を押し下げると、アーム１１は自重によって閉じる。
【００２６】
なお、曲面部１１Ｃは、結合ピン穴１１Ｂに向かって次第にアーム１１の幅が広くなるように形成されるテーパ部であってもよい。
【００２７】
以上述べたように、本実施形態のハンガー１は、結合ピン１２によって回動可能に係止される２本のアーム１１と、上下方向に長く設けられる長孔１３Ａに結合ピン１２が挿通され、２本のアームの間に配置される開閉部材１３と、開閉部材１３に設けられ、開閉部材１３が引き上げられる際に２本のアーム１１を開く方向に２本のアーム１１に力を加える支持部材（支持ピン１５）と、開閉部材１３の上端に配置されるフック１４と、を備える。つまり、開閉部材１３が引き上げらえる力が支持部材を介して２本のアーム１１を開く方向の力に変換される。
【００２８】
より具体的には、本実施形態のハンガー１は、開いた状態において下方に凸となる曲面部１１Ｃ、結合ピン１２が挿通される結合ピン穴１１Ｂ、及び結合ピン穴１１Ｂの下方に配置される係止凹部１１Ａを付け根部分に備える２本のアーム１１と、結合ピン１２が挿通される上下方向に長い長孔１３Ａ、及び長孔１３Ａの下方に配置され、支持ピン１５が挿通される支持ピン穴１３Ｂを備え、２本のアームの付け根部分の間に設置される開閉部材１３と、開閉部材１３の上端に配置されるフック１４と、を備える。
【００２９】
従って、本発明に係るハンガー１は、構成が簡単であり、開閉部を引き上げるだけによってアーム１１を開くことができる。よって、安価に製造することができ、迅速に衣類に装着できるハンガーを提供することができるという効果がある。
【００３０】
（第２の実施形態）
図４はアーム１１を開いた状態の第２の実施形態のハンガー１を示す図、図５はアーム１１を閉じた状態の第２の実施形態のハンガー１を示す図である。
【００３１】
図４及び図５に示すように、ハンガー１は、左右２本のアーム１１と、開閉部材１３と、フック１４と、を備える。
【００３２】
アーム１１は、衣類を吊り下げるのに適した長さと幅を有するように、長軸に形成される。アーム１１はさらに、結合ピン１２を挿通する貫通孔である結合ピン穴１１Ｂを備える。２本のアーム１１は、互いに同一形状に形成される。
【００３３】
開閉部材１３は、下方に長く伸びる長孔１３Ａと、長孔１３Ａの下方に配置され、支持ピン１５を挿通する貫通孔である支持ピン穴１３Ｂと、を備える。開閉部材１３は下方に長い薄い板状又はフィルム状に形成される。開閉部材１３は、例えば下方に長い長方形に形成される。開閉部材１３はさらに、長孔１３Ａの下方であって、各アーム１１が伸びる方向に長孔１３Ａからずらして配置される支持部材１３Ｃを備える。
【００３４】
支持部材１３Ｃは開閉部材１３の両面に１個ずつ設けられる。支持部材１３Ｃは、例えばピン形状をなす。
【００３５】
フック１４は、開閉部材１３の上端部に取り付けられる。
【００３６】
次に、ハンガー１の組み立て方法について説明する。２本のアーム１１の間に開閉部材１３を配置し、結合ピン１２を結合ピン穴１１Ｂ及び長孔１３Ａに挿通する。その後、結合ピン１２の先端部にピン抜止１２Ａ（図示せず。）を取り付ける。
【００３７】
結合ピン１２は、アーム１１が回動可能であり、かつ、開閉部材１３が上下変位可能に取り付けられる。アーム１１は支持部材１３Ｃに上方から接触するように配置される。
【００３８】
次に、ハンガー１の動作について説明する。
【００３９】
図５に示すアーム１１を閉じた状態において、２本のアーム１１をＴシャツなどの衣類の首穴に挿入する。
【００４０】
アーム１１を衣類の袖の部分に合わせ、開閉部材１３を引き上げる。ここで、開閉部材１３は支持部材１３Ｃを有するため、支持部材１３Ｃはアーム１１を開く方向に押し上げ、アーム１１を開く。
【００４１】
アーム１１を閉じる場合には、開閉部材１３を押し下げると、アーム１１は自重によって閉じる。
【００４２】
以上述べたように、本実施形態のハンガー１は、付け根部分に設けられる結合ピン穴に挿通される結合ピン１２によって回動可能に係止される２本のアーム１１と、上下方向に長く設けられる長孔１３Ａに結合ピン１２が挿通され、２本のアームの間に配置される開閉部材１３と、開閉部材１３に設けられ、開閉部材１３が引き上げられる際に２本のアーム１１を開く方向に２本のアーム１１に力を加える支持部材１３Ｃと、開閉部材１３の上端に配置されるフック１４と、を備える。つまり、開閉部材１３が引き上げらえる力が支持部材１３Ｃを介して２本のアーム１１を開く方向の力に変換される。
【００４３】
より具体的には、本実施形態のハンガー１は、結合ピン１２が挿通される結合ピン穴１１Ｂを備える２本のアーム１１と、結合ピン１２が挿通される上下方向に長い長孔１３Ａ、及び長孔１３Ａの下方であって、各アーム１１が伸びる方向に長孔１３Ａからずらして配置される支持部材１３Ｃを有する開閉部材１３と、開閉部材１３の上端に配置されるフック１４と、を備える。
【００４４】
従って、本発明に係るハンガー１は、構成が簡単であり、開閉部を引き上げるだけによってアーム１１を開くことができる。よって、より安価に製造することができ、迅速に衣類に装着できるハンガーを提供することができるという効果がある。
【００４５】
（第３の実施形態）
図６はアーム１１を開いた状態の第３の実施形態のハンガー１を示す図、図７はアーム１１を閉じた状態の第３の実施形態のハンガー１を示す図である。
【００４６】
図６及び図７に示すように、ハンガー１は、左右２本のアーム１１と、開閉部材１３と、フック１４と、を備える。
【００４７】
アーム１１は、衣類を吊り下げるのに適した長さと幅を有するように、長軸に形成される。アーム１１はさらに、結合ピン１２を挿通する貫通孔である結合ピン穴１１Ｂを備える。２本のアーム１１は、互いに同一形状に形成される。
【００４８】
開閉部材１３は、下方に長く伸びる長孔１３Ａと、長孔１３Ａの下方に配置され、支持ピン１５を挿通する貫通孔である支持ピン穴１３Ｂと、を備える。開閉部材１３は下方に長い薄い板状又はフィルム状に形成される。開閉部材１３は、例えば下方に長い長方形に形成される。開閉部材１３はさらに、長孔１３Ａの上方に、各アーム１１を上方から支持する支持部材１３Ｄを備える。
【００４９】
支持部材１３Ｄは開閉部材１３の両面に１個ずつ設けられる。支持部材１３Ｄは、例えばワイヤ又は線状の部材を用いることができる。支持部材１３Ｄは、一端が開閉部材１３の長孔１３Ａの上方に係止され、他端がアーム１１の長手方向の中間部分より結合ピン穴１１Ｂの方向寄り、つまりアーム１１の結合部分寄りの部位に取り付けられる。
【００５０】
フック１４は、開閉部材１３の上端部に取り付けられる。
【００５１】
次に、ハンガー１の組み立て方法について説明する。２本のアーム１１の間に開閉部材１３を配置し、結合ピン１２を結合ピン穴１１Ｂ及び長孔１３Ａに挿通する。その後、結合ピン１２の先端部にピン抜止１２Ａ（図示せず。）を取り付ける。
【００５２】
結合ピン１２は、アーム１１が回動可能であり、かつ、開閉部材１３が上下変位可能に取り付けられる。アーム１１は支持部材１３Ｄに上方から吊り下げられるように配置される。
【００５３】
次に、ハンガー１の動作について説明する。
【００５４】
図５に示すアーム１１を閉じた状態において、２本のアーム１１をＴシャツなどの衣類の首穴に挿入する。
【００５５】
アーム１１を衣類の袖の部分に合わせ、開閉部材１３を引き上げる。ここで、開閉部材１３は支持部材１３Ｄを有するため、支持部材１３Ｄはアーム１１を開く方向に引上げ、アーム１１を開く。
【００５６】
アーム１１を閉じる場合には、開閉部材１３を押し下げると、アーム１１は自重によって閉じる。
【００５７】
以上述べたように、本実施形態のハンガー１は、付け根部分に設けられる結合ピン穴に挿通される結合ピン１２によって回動可能に係止される２本のアーム１１と、上下方向に長く設けられる長孔１３Ａに結合ピン１２が挿通され、２本のアームの間に配置される開閉部材１３と、開閉部材１３に設けられ、開閉部材１３が引き上げられる際に２本のアーム１１を開く方向に２本のアーム１１に力を加える支持部材１３Ｃと、開閉部材１３の上端に配置されるフック１４と、を備える。つまり、開閉部材１３が引き上げらえる力が支持部材１３Ｃを介して２本のアーム１１を開く方向の力に変換される。
【００５８】
より具体的には、本実施形態のハンガー１は、結合ピン１２が挿通される結合ピン穴１１Ｂを備える２本のアーム１１と、結合ピン１２が挿通される上下方向に長い長孔１３Ａ、及び長孔１３Ａの上方に配置される支持部材１３Ｄを有する開閉部材１３と、開閉部材１３の上端に配置されるフック１４と、を備える。
【００５９】
従って、本発明に係るハンガー１は、構成が簡単であり、開閉部を引き上げるだけによってアーム１１を開くことができる。よって、さらに安価に製造することができ、迅速に衣類に装着できるハンガーを提供することができるという効果がある。
【００６０】
（第４の実施形態）
図８はアーム１１を開いた状態の第４の実施形態のハンガー１を示す図、図９はアーム１１を閉じた状態の第４の実施形態のハンガー１を示す図、図１０は第４の実施形態のハンガー１のアーム１１の付け根付近の拡大図である。
【００６１】
図８から図１０までに示すように、ハンガー１は、左右２本のアーム１１と、開閉部材１３と、フック１４と、を備える。
【００６２】
アーム１１は、衣類を吊り下げるのに適した長さと幅を有するように、長軸に形成される。２本のアーム１１は根元において結合部材１１Ｇと結合する。アーム１１と結合部材１１Ｇとは、マイラーのような可撓性部１１Ｄによって結合される。２本のアーム１１は、互いに同一形状に形成される。
【００６３】
開閉部材１３は、２本の長さの等しい支持部材１３Ｃと、ストッパ１３Ｅと、を備える。板状部材は、互いに折れ曲がることができるように一端において接続され、他端はアーム１１の内側の根元から少し離れた位置に回動可能に接続される。開閉部材１３の中央部分である支持部材１３Ｃの接合位置にはワイヤ１３Ｆの端部が接続され、ワイヤ１３Ｆの他端はフック１４の端部に接続される。
【００６４】
ワイヤ１３Ｆは結合部材１１Ｇの中央部分に設けられる貫通孔１１Ｅに挿通される。
【００６５】
ストッパ１３Ｅは、短い板状の形状をなし、一部が一方の支持部材１３Ｃの他方の板状部材との接続位置付近に固定され、他の部分はアーム１１を開いたときに他方の支持部材１３Ｃの方向に延びるように配置される。
【００６６】
次に、ハンガー１の動作について説明する。
【００６７】
図９に示すアームを閉じた状態において、２本のアーム１１をＴシャツなどの衣類の首穴に挿入する。
【００６８】
アーム１１を袖の部分に合わせ、フック１４を上方に引き上げることにより、ワイヤ１３Ｆに接続された開閉部材１３の支持部材１３Ｃ同士の接続部分を引き上げる。支持部材１３Ｃはストッパ１３Ｅによって動きが規制されるまで開く。そして、支持部材１３Ｃは開くと同時に、２本のアーム１１を押し広げる。
【００６９】
アームを閉じる場合には、フック１４を結合部材１１Ｇの方向に変位させると、アーム１１は自重により閉じる。
【００７０】
以上述べたように、本実施形態のハンガー1は、結合部材１１Ｇに根元部分が回動可能に接続される２本のアーム１１と、一端がアーム１１の付け根近くに回動可能に接続し、他端が互いに回動可能に接続する２つの支持部材１３Ｃ及び一方の支持部材１３Ｃに固定され、支持部材１３Ｃの開く方向への動きを規制するストッパ１３Ｅを有する開閉部材１３と、開閉部材１３に結合部材１１Ｇを貫通するワイヤ１３Ｆを介して接続するフック１４と、を備える。つまり、開閉部材１３が引き上げらえる力が支持部材１３Ｃを介して２本のアーム１１を開く方向の力に変換される。
【００７１】
従って、本発明に係るハンガー１は、構成が簡単であり、開閉部を引き上げるだけによってアーム１１を開くことができる。よって、さらに安価に製造することができ、迅速に衣類に装着できるハンガーを提供することができるという効果がある。
【００７２】
（第５の実施形態）
図１１はアーム１１を閉じた状態の第５の実施形態のハンガー１を示す図、図１２は第５の実施形態のハンガー１のアーム１１を閉じるときのアーム１１の付け根付近を示す図、図１３は第５の実施形態のハンガー１のアーム１１を開くときのアーム１１の付け根付近を示す図、図１４はアーム１１を開いた状態の第５の実施形態のハンガー１を示す図である。
【００７３】
図１１から図１４までに示すように、ハンガー１は、左右２本のアーム１１と、開閉部材１３と、フック１４と、を備える。
【００７４】
アーム１１は、衣類を吊り下げるのに適した長さと幅を有するように、長軸に形成される。２本のアーム１１は根元において結合部材１１Ｇと結合する。２本のアーム１１は、互いに同一形状に形成される。
【００７５】
開閉部材１３は、アーム１１の下方に配置され、弾性部材によって形成される互いに外側に凸に湾曲した２本の支持部材１３Ｃを備える。支持部材１２Ｃは、下端において互いに接続し、上端はそれぞれアーム１１の根元付近に設けられる結合部材１１Ｇに接続する。支持部材１３Ｃはそれぞれアーム１１の内側に接触する。支持部材１３Ｃ同士の接続部分にはワイヤ１３Ｆの下端部が接続される。
【００７６】
結合部材１１Ｇにはアーム１１の幅方向に長い矩形の貫通孔１１Ｆが設けられる。ワイヤ１３Ｆは貫通孔に挿通され、端部にストッパ１３Ｅとフック１４が取り付けられる。
【００７７】
ストッパ１３Ｅは、貫通孔１１Ｆを通過できるだけの大きさと厚さを有する。また、ストッパ１３Ｅは、貫通孔１１Ｆを上方に通過した後に９０°回転させると、貫通孔の通貨を規制するだけの幅を有する。
【００７８】
次に、ハンガー１の動作について説明する。
【００７９】
図１１に示すアームを閉じた状態において、２本のアーム１１をＴシャツなどの衣類の首穴に挿入する。
【００８０】
アーム１１を袖の部分に合わせ、フック１４を上方に引き上げることにより、ワイヤ１３Ｆに接続された開閉部材１３の支持部材１３Ｃ同士の接続部分を引き上げる。そして、支持部材１３Ｃは開くと同時に、２本のアーム１１を押し広げる。
【００８１】
アーム１１を十分開いたのち、貫通孔１１Ｆを通過したストッパ１３Ｅを９０°回転させる。このとき、支持部材１３Ｃの弾性力によりワイヤ１３Ｆが引き戻される方向に力が働くが、ストッパ１３Ｅによってワイヤ１３Ｆの動きが規制される。従って、アーム１１は開いたままの状態となる。
【００８２】
アームを閉じる場合には、ストッパ１３Ｅをさらに９０°回転させ、貫通孔１１Ｆを通過させると支持部材１３Ｃは弾性力によって復元し、アーム１１は閉じる。
【００８３】
以上述べたように、本実施形態のハンガー1は、結合部材１１Ｇに根元部分が回動可能に接続される２本のアーム１１と、アーム１１の下方に配置され、弾性部材によって形成され、一端が結合部材１１Ｇに接続し、他端が互いに接続する２つの支持部材１３Ｃを有する開閉部材１３と、開閉部材１３に結合部材１１Ｇを貫通するワイヤ１３Ｆを介して接続するストッパ１３Ｅ及びフック１４と、を備える。つまり、開閉部材１３が引き上げらえる力が支持部材１３Ｃを介して２本のアーム１１を開く方向の力に変換される。
【００８４】
従って、本発明に係るハンガー１は、構成が簡単であり、開閉部を引き上げるだけによってアーム１１を開くことができる。よって、さらに安価に製造することができ、迅速に衣類に装着できるハンガーを提供することができるという効果がある。
【００８５】
（第６の実施形態）
図１５はアーム１１を閉じた状態の第６の実施形態のハンガー１を示す図、図１６は第６の実施形態のハンガー１のアーム１１を開く過程を示す図、図１７は第６の実施形態のハンガー１のアーム１１を開いた状態を示す図である。
【００８６】
図１５から図１７までに示すように、ハンガー１は、左右２本のアーム１１と、開閉部材１３と、フック１４と、を備える。
【００８７】
ハンガー１は、合成樹脂、金属のほか、紙や木によっても形成可能である。
【００８８】
アーム１１は、衣類を吊り下げるのに適した長さと幅を有するように、長軸に形成される。２本のアーム１１は根元において結合ピン１２によって互いに回動可能に結合する。２本のアーム１１は、互いに同一形状に形成され、一方のアーム１１が裏返しに用いられる。
【００８９】
開閉部材１３は、アーム１１の付け根にアーム１１に対して１８０°より小さい鈍角をなして設けられる。開閉部材１３は開閉部材１３が伸びる方向に沿って切り欠き１３Ｇを有する。切り欠き１３Ｇは、開閉部材１３の根元において開閉部材１３のアーム１１に対する屈曲方向とは逆の方向に、結合ピン１２を中心とする弧を描いて結合ピン１２の上部付近までさらに伸びる。
【００９０】
二つの開閉部材１３は、フック１４の付け根付近においてフック１４を挟み、フック１４の付け根に固定される支持ピン１３Ｈを変位可能に切り欠き１３Ｇに挿通する。
【００９１】
次に、ハンガー１の動作について説明する。
【００９２】
図１５に示すアームを閉じた状態において、２本のアーム１１をＴシャツなどの衣類の首穴に挿入する。
【００９３】
アーム１１を袖の部分に合わせ、開閉部材１３をフック１４の方向に閉じる。この際、支持ピン１３Ｈは切り欠き１３Ｇの弧の部分を移動する。次に、フック１４を上方に引き上げる。
【００９４】
フック１４を引き上げる力は、支持ピン１３Ｈを介して開閉部材１３の切り欠き１３Ｇのフック１４側の側壁を押し、アーム１１が開く方向の力に変換される。つまり、開閉部材１３はアーム１１が閉じることを規制する。
【００９５】
以上述べたように、本実施形態のハンガー1は、結合ピン１２によって回動可能に結合される２本のアーム１１と、アーム１１の付け根にアーム１１に対して１８０°より小さい鈍角をなして設けられ、伸延方向と結合ピン１２を中心としてアーム１１に対する屈曲方向逆側に延びる弧に沿って延びる切り欠きを有し、フック１４の付け根を挟んで配置される開閉部材１３と、フック１４の根元に固定され、一対の開閉部材１３の切り欠き１３Ｇに挿通される支持部材としての支持ピン１３Ｈと、を備える。つまり、開閉部材１３が引き上げらえる力が支持ピン１３Ｈを介して２本のアーム１１を開く方向の力に変換される。
【００９６】
従って、本発明に係るハンガー１は、構成が簡単であり、開閉部材１３を閉じてフック１４を引き上げるだけによってアーム１１を開くことができる。よって、さらに安価に製造することができ、迅速に衣類に装着できるハンガーを提供することができるという効果がある。
【００９７】
（第７の実施形態）
図１８はアーム１１を閉じた状態の第７の実施形態のハンガー１を示す図、図１９は第７の実施形態のハンガー１のアーム１１を開いた状態を示す図である。図２０は補助部材１６の拡大図、図２１は補助部材１６を装着したハンガー１を示す図である。
【００９８】
図１８から図２１までに示すように、ハンガー１は、左右２本のアーム１１と、開閉部材１３と、フック１４と、を備える。
【００９９】
ハンガー１は、合成樹脂、金属のほか、紙や木によっても形成可能である。
【０１００】
アーム１１は、衣類を吊り下げるのに適した長さと幅を有するように、長軸に形成される。２本のアーム１１は根元において結合ピン１２によって互いに回動可能に結合する。２本のアーム１１は、互いに同一形状に形成され、一方のアーム１１が裏返しに用いられる。
【０１０１】
開閉部材１３は、アーム１１の付け根にアーム１１に対して１８０°より小さい鈍角をなして設けられる。開閉部材１３は、長辺が開閉部材１３の伸びる方向に沿って伸び、開閉部材１３の根元において開閉部材１３のアーム１１に対する屈曲方向とは逆の方向に、結合ピン１２を中心として結合ピン１２の上部付近まで伸びる弧を底辺とし、底辺の長辺と接続する端部の逆側の端部と長辺の末端を結ぶ直線を斜辺とする略直角三角形の切り欠き穴１３Ｊを有する。
【０１０２】
二つの開閉部材１３は、フック１４の付け根付近においてフック１４を挟み、フック１４の付け根に固定される支持ピン１３Ｈを変位可能に切り欠き穴１３Ｊに挿通する。
【０１０３】
本実施形態のハンガー１は補助部材１６を有していてもよい。補助部材１６は、矩形又は楕円形状の板状の部材によって形成され、上部において繋がる二つの窓部１６Ａと、二つの窓部１６Ａの間に設けられ、支持ピン１３Ｈを挿通する支持ピン挿通孔１６Ｃを有する突出部１６Ｂと、備える。窓部１６Ａは、アーム１１を閉じた状態において開閉部材１３を挿通できる幅を有する。
【０１０４】
図２１に示すように、ハンガー１が補助部材１６を有する場合、補助部材１６は、アーム１１を閉じた状態のハンガー１のアーム１１端部が連結する窓部１６Ａに挿通され、支持ピン１３Ｈが支持ピン挿通孔１６Ｃに挿通されてフック１４に係止される。
【０１０５】
次に、ハンガー１の動作について説明する。
【０１０６】
図１８に示すアームを閉じた状態において、２本のアーム１１をＴシャツなどの衣類の首穴に挿入する。
【０１０７】
アーム１１を袖の部分に合わせ、フック１４を引き上げる。フック１４を上方向に引き上げる力は、支持ピン１３Ｈを介して切り欠き穴１３Ｊの斜辺を押す力、つまりアーム１１を開く方向の力に変換される。従って、フック１４を引き上げるに従って、アーム１１は開く。
【０１０８】
補助部材１６が設けられる場合には、フック１４を引き上げると窓部１６Ａの内側側面が開閉部材１３を閉じる方向に押し上げる。つまり、補助部材１６はフックを引き上げる力を開閉部材が閉じる方向の力、つまりアーム１１が開く方向の力に変換する。
【０１０９】
以上述べたように、本実施形態のハンガー1は、結合ピン１２によって回動可能に結合される２本のアーム１１と、アーム１１の付け根にアーム１１に対して１８０°より小さい鈍角をなして設けられ、長辺が開閉部材１３の延びる方向に沿って延び、開閉部材１３の根元において開閉部材１３のアーム１１に対する屈曲方向とは逆の方向に、結合ピン１２を中心として伸びる弧を底辺とし、底辺の長辺と接続する端部の逆側の端部と長辺の末端を結ぶ直線を斜辺とする略直角三角形の切り欠き穴１３Ｊを有し、フック１４の付け根を挟んで配置される開閉部材１３と、フック１４の根元に固定され、一対の開閉部材１３の切り欠き１３Ｇに挿通される支持部材としての支持ピン１３Ｈと、を備える。つまり、開閉部材１３が引き上げらえる力が支持ピン１３Ｈを介して２本のアーム１１を開く方向の力に変換される。
【０１１０】
従って、本発明に係るハンガー１は、構成が簡単であり、開閉部材１３を閉じてフック１４を引き上げるだけによってアーム１１を開くことができる。よって、よりさらに安価に製造することができ、迅速に衣類に装着できるハンガーを提供することができるという効果がある。
【０１１１】
（第８の実施形態）
図２２は第８の実施形態のハンガー１のアーム１１を開いた状態を示す図、図２３は第８の実施形態のハンガー１のアーム１１を閉じた状態を示す図である。
【０１１２】
図２２及び図２３に示すように、ハンガー１は、左右２本のアーム１１と、開閉部材１３と、フック１４と、を備える。本実施形態においては、ハンガー１を構成する各部材は針金状の部材によって形成される。
【０１１３】
ハンガー１は、合成樹脂、金属のほか、紙や木によっても形成可能である。
【０１１４】
アーム１１は、衣類を吊り下げるのに適した長さと幅を有するように、長軸に形成される。２本のアーム１１は根元において、フック１４の柄１４Ｂの下端に設けられる係止曲部１４Ａによって互いに回動可能に連結する。２本のアーム１１は、互いに同一形状に形成され、一方のアーム１１が裏返しに用いられる。
【０１１５】
開閉部材１３は、アーム１１の付け根にアーム１１に対して１８０°より小さい鈍角をなして設けられる。開閉部材１３は、アーム１１の付け根に設けられ、アーム１１の先端に向かって係止曲部１４Ａの配置位置よりもアーム１１の先端側まで湾曲する湾曲部１３Ｌに連結して設けられる。開閉部材１３はアーム１１を開いた状態において略真上に延び、端部にフック１４の柄１４Ｂの方向に凹となるように屈曲するリング掛け部１３Ｋを有する。
【０１１６】
ハンガー１は更に、リング掛け部１３Ｋに掛けられ、アーム１１が閉じる方向に変位することを規制する規制リング１７を有する。規制リング１７は、内部にフック１４の柄１４Ｂ及び二つの開閉部材１３を挿通する。規制リング１７の内径は、規制リング１７がリング掛け部１３Ｋに掛るように引き上げられた場合にアーム１１が開く程度の長さを有する。
【０１１７】
図２２に示すように、規制リング１７を引き上げると、その引き上げる方向の力は開閉部材１３によってアーム１１が開く方向の力に変換される。つまり、規制リング１７を引き上げると、規制リング１７は二つの開閉部材１３を次第に閉じる方向に変位させる。二つの開閉部材１３が閉じる方向に変位すると、二本のアーム１１は互いに開く方向に変位する。
【０１１８】
規制リング１７を開閉部材１３の端部まで引き上げ、リング掛け部１３Ｋに掛けると、アーム１１は開いた状態に維持され、また規制リング１７はリング掛け部１３Ｋに引っかかって下方に落ちない。従って、ハンガー１はアームが開いた状態に維持される。
【０１１９】
アーム１１を閉じるときは、規制リング１７をリング掛け部１３Ｋから外して下方に変位させる。この場合、開閉部材１３は次第に開き、アーム１１は次第に閉じる。
【０１２０】
なお、ハンガー１を構成する各部材が針金状の部材によって形成される例を以上に述べたが、各部材は針金状の部材の他に、パイプ状の部材、板状の部材であってもよい。
【０１２１】
以上述べたように、本実施形態のハンガー１は、フック１４と、フック１４の下端に設けられる係止曲部１４Ａによって回動可能に連結される２本のアーム１１と、アーム１１の付け根においてアーム１１の先端方向に湾曲する湾曲部１３Ｌを介してアーム１１に設けられる開閉部材１３と、柄１４Ｂ及び開閉部材１３を挿通し、開閉部材１３が開く方向に変位することを規制する規制リング１７と、を備える。つまり、規制リング１７が引き上げらえる力が開閉部材１３を介して２本のアーム１１を開く方向の力に変換される。
【０１２２】
従って、本発明に係るハンガー１は、構成が簡単であり、規制リング１７を引き上げるだけによってアーム１１を開くことができる。よって、よりさらに安価に製造することができ、迅速に衣類に装着できるハンガーを提供することができるという効果がある。
【０１２３】
なお、以上に述べた各実施形態において、板状の部材は幅方向に厚みを持たせた立体形状とすることができる。また、立体形状の部材は幅方向の厚みを薄くすることにより全体をより薄くすることもできる。
【符号の説明】
【０１２４】
１  ハンガー
１１  アーム
１１Ａ  係止凹部
１１Ｂ  結合ピン穴
１１Ｃ  曲面部
１１Ｄ  可撓性部
１１Ｅ  貫通孔
１１Ｆ  貫通孔
１１Ｇ  結合部材
１２  結合ピン
１２Ａ  ピン抜止
１２Ｃ  支持部材
１３  開閉部材
１３Ａ  長孔
１３Ｂ  支持ピン穴
１３Ｃ  支持部材
１３Ｄ  支持部材
１３Ｅ  ストッパ
１３Ｆ  ワイヤ
１３Ｇ  切り欠き
１３Ｈ  支持ピン
１３Ｊ  切り欠き穴
１３Ｋ  リング掛け部
１３Ｌ  湾曲部
１４  フック
１４Ａ  係止曲部
１４Ｂ  柄
１５  支持ピン
１５Ａ  支持ピン抜止
１６  補助部材
１６Ａ  窓部
１６Ｂ  突出部
１６Ｃ  支持ピン挿通孔
１７  規制リング
【図１】
2019042439.tif 000003
【図２】
2019042439.tif 000004
【図３】
2019042439.tif 000005
【図４】
2019042439.tif 000006
【図５】
2019042439.tif 000007
【図６】
2019042439.tif 000008
【図７】
2019042439.tif 000009
【図８】
2019042439.tif 000010
【図９】
2019042439.tif 000011
【図１０】
2019042439.tif 000012
【図１１】
2019042439.tif 000013
【図１２】
2019042439.tif 000014
【図１３】
2019042439.tif 000015
【図１４】
2019042439.tif 000016
【図１５】
2019042439.tif 000017
【図１６】
2019042439.tif 000018
【図１７】
2019042439.tif 000019
【図１８】
2019042439.tif 000020
【図１９】
2019042439.tif 000021
【図２０】
2019042439.tif 000022
【図２１】
2019042439.tif 000023
【図２２】
2019042439.tif 000024
【図２３】
2019042439.tif 000025